(57)【特許請求の範囲】
【請求項１】
横編機の針床に並設される針溝に収容され、前部にフックを有して針溝に沿って前後方向に往復移動可能な針本体と、フックを開閉するタングを前部に有して、針本体に対する前後方向の相対移動が可能なスライダーとが組合わされ、
スライダーは、針溝内で下方に配置され、前部にタングを有し、後部に下結合部を有する開閉体と、針溝内で開閉体よりも上方に配置され、開閉体の下結合部に結合される上結合部を有する基体とを備える、
横編機の複合針において、
下結合部または上結合部の一方に設けられ、他方側に開口し、開口端の両端から一方側に延びる側壁を有し、前後方向に関し、側壁間の幅が開口端の幅よりも狭い狭幅部分が設けられる凹部と、
下結合部または上結合部の他方に設けられ、前後方向の幅が凹部の狭幅部分よりも広い広幅部分が設けられ、凹部に他方側から挿入されて結合し、挿入の途中で、凹部の弾性変形で広幅部分が凹部の狭幅部分を通過可能となる凸部と、
を含み、
凹部には、狭幅部分よりも開口から離れる側に、凹部と凸部との結合時、他方側から狭幅部分を通過した凸部の広幅部分を収容するように、狭幅部分よりも前後方向の幅が広い部分が設けられ、
凹部と凸部との結合部分では、いずれか一方の厚みの中間に溝が設けられ、いずれか他方が溝に挿入される、
ことを特徴とする横編機の複合針。
【請求項２】
前記スライダーの開閉体は、前記タングが前記フックの両側に分れて、フックを越えて前進可能な二枚のブレードである、
ことを特徴とする請求項１記載の横編機の複合針。
【請求項３】
前記凹部は、前記下結合部として、前記二枚のブレードが重なる部分に形成され、
前記上結合部としての前記凸部の下端に設けられる溝が、前記結合の状態で、二枚のブレードが重なる部分のうち、凹部の下方となる部分を挟む、
ことを特徴とする請求項２記載の横編機の複合針。
【発明の詳細な説明】
【技術分野】
【０００１】
本発明は、横編機の針床に形成される針溝に収容され、フックをスライダーで開閉する横編機の複合針に関する。
【背景技術】
【０００２】
従来から、横編機では、針床に多数の針溝を並設し、各針溝に収容される編針を、先端のフックが針床端部の歯口に進退するように駆動して、歯口でフックに供給される編糸で編地を編成している。編針としては、フックをスライダーで開閉する複合針がある。特に、スライダーでフックを開閉する部分となるタングを二枚のブレードで形成すれば、タングがフックを越えて移動可能となり、スライダーを利用する目移しも可能となる（たとえば、特許文献１参照）。
【０００３】
なお、横編機の針床は、歯口側が高く、歯口から離れると低くなるように傾斜しているけれども、説明の便宜上、以下の説明では、歯口側を前とし、歯口から離れる側を後として、前後方向を定める。また、前後方向に垂直な上下方向として、針溝内で浮く方向を上とし、針溝内で沈む方向を下とする。さらに、前から見る針溝の幅方向を左右方向とする。さらにまた、針床や針溝は、図示を省略する。
【０００４】
図３は、特許文献１などに開示されているような、タングを二枚のブレードの先端に形成する複合針のスライダーの部分的な構成を示す。図３（ａ）は、基体１の左側面構成と、切断面線Ａ−Ａから見た断面構成とを示す。この部分の断面構成は、中心線１ａに関して非対称となる。基体１の後部からは、バット１ｂが立設され、針床に沿って移動するキャリッジに搭載されるカムによる案内作用を受ける。基体１の前部と後部との中間に設ける上結合部１ｃは、左側方に臨む長手溝１ｄと、左右両側方に開口して連通する凹所１ｅとを有する。上結合部１ｃとバット１ｂとの間は、弾性的に撓み変形が可能なアーム１ｆとなっている。なお、アーム１ｆは、前後方向を短縮して示す。
【０００５】
図３（ｂ）は、右側のブレード２の平面構成と、左側面構成とを示す。図３（ｃ）は、左側のブレード３の平面構成と、左側面構成とを示す。図３（ｄ）は、スライダー４の平面構成と、左側面構成とを示す。図３（ｅ）は、図３（ｄ）に示す基体１とブレード２，３との結合部分５を拡大して示す。
【０００６】
すなわち複合針のスライダー４は、金属板からプレス加工などで形成される基体１と二枚のブレード２，３とを結合部分５で結合して形成される。各ブレード２，３は、前部にタング２ａ，３ａをそれぞれ有し、下部が図示を省略している針本体に形成されるスライダー溝に収容され、スライダー溝内で相対的に前後に移動して、タング２ａ，３ａで針本体のフックを開閉する。ブレード２，３には、タング２ａ，３ｂに続き、上端がスライダー溝の外部に開く湾曲部２ｂ，３ｂが形成されている。ブレード２，３の後部には、下結合部２ｃ，３ｃが設けられている。下結合部２ｃ，３ｃは、結合用のバット２ｄ，３ｄと、後方に延びる尾部２ｅ，３ｅとを有する。タング２ａ，３ａや湾曲部２ｂ，３ｂが設けられる前部と、下結合部２ｃ，３ｃが設けられる後部との間には、アーム２ｆ，３ｆが設けられて、弾性変形で、前部が揺動可能となっている。ブレード３の尾部３ｅは、針溝の側壁に弾発的に摺接して摺動抵抗となるように、側方に膨らんでいる。結合部分５では、基体１の凹所１ｅとブレード２，３のバット２ｄ，３ｄとが結合し、周囲にカシメ部５ａ，５ｂ，５ｃが設けられて、取外しができないような、強固な結合がなされている。
【先行技術文献】
【特許文献】
【０００７】
【特許文献１】特許第２９４６３２３号公報
【発明の概要】
【発明が解決しようとする課題】
【０００８】
図３に示すスライダー４での結合部分５では、基体１と二枚のブレード２，３とを精度良く結合させる必要があるけれども、下結合部２ｃ，３ｃのバット２ｄ，３ｄおよび尾部２ｅ，３ｅに対し、これらが結合する上結合部１ｃの長手溝１ｄや凹所１ｅは、わずかに大きく形成される。このために、バット２ｄ，３ｄや尾部２ｅ，３ｅを長手溝１ｄや凹所１ｅに挿入させた後で、改めて位置決めして固定する後工程の作業を行う必要がある。位置決めは、たとえば、尾部２ｅ，３ｅの上面を、長手溝１ｄの上壁面に当接させて行う。ブレード２，３の前部は、針本体に対する相対移動の際に、スライダー溝の底面に形成される凹凸がカムとなって揺動する。この揺動で、結合部分５には大きな曲げモーメントが印加され、結合を外してしまうおそれがあるので、カシメ部５ａ，５ｂ，５ｃなどを設けて、強固に固定する必要がある。
【０００９】
本発明の目的は、スライダーとしての結合部分を後工程で強固に固定する必要がない、横編機の複合針を提供することである。
【課題を解決するための手段】
【００１０】
本発明は、横編機の針床に並設される針溝に収容され、前部にフックを有して針溝に沿って前後方向に往復移動可能な針本体と、フックを開閉するタングを前部に有して、針本体に対する前後方向の相対移動が可能なスライダーとが組合わされ、
スライダーは、針溝内で下方に配置され、前部にタングを有し、後部に下結合部を有する開閉体と、針溝内で開閉体よりも上方に配置され、開閉体の下結合部に結合される上結合部を有する基体とを備える、
横編機の複合針において、
下結合部または上結合部の一方に設けられ、他方側に開口し、開口端の両端から一方側に延びる側壁を有し、前後方向に関し、側壁間の幅が開口端の幅よりも狭い狭幅部分が設けられる凹部と、
下結合部または上結合部の他方に設けられ、前後方向の幅が凹部の狭幅部分よりも広い広幅部分が設けられ、凹部に他方側から挿入されて結合し、挿入の途中で、凹部の弾性変形で広幅部分が凹部の狭幅部分を通過可能となる凸部と、
を含み、
凹部には、狭幅部分よりも開口から離れる側に、凹部と凸部との結合時、他方側から狭幅部分を通過した凸部の広幅部分を収容するように、狭幅部分よりも前後方向の幅が広い部分が設けられ、
凹部と凸部との結合部分では、いずれか一方の厚みの中間に溝が設けられ、いずれか他方が溝に挿入される、
ことを特徴とする横編機の複合針である。
【００１１】
また本発明で、前記スライダーの開閉体は、前記タングが前記フックの両側に分れて、フックを越えて前進可能な二枚のブレードである、
ことを特徴とする。
【００１２】
また本発明で、前記凹部は、前記下結合部として、前記二枚のブレードが重なる部分に形成され、
前記上結合部としての前記凸部の下端に設けられる溝が、前記結合の状態で、二枚のブレードが重なる部分のうち、凹部の下方となる部分を挟む、
ことを特徴とする。
【発明の効果】
【００１３】
本発明によれば、スライダーでは、開閉体の下結合部と、基体の上結合部との結合を、一方に設けられる凹部に、他方に設けられる凸部を挿入して行う。凹部には、開口端の幅よりも側壁間の幅が狭い狭幅部分が設けられ、凸部には、幅が狭幅部分よりも広い広幅部分が設けられる。上下方向の挿入の途中で、凹部が弾性変形して広幅部分は狭幅部分を通過可能となるので、結合部分で開閉体と基体とを結合することができる。結合部分では、上下方向へは、広幅部分の通過が狭幅部分で阻止されるので、挿入のみで固定することができる。幅方向へも、凹部と凸部とが一方の溝に他方が挿入されて結合されているので、抜けないようにすることができる。したがって、結合部分を形成後は、強固に固定するための後加工を行う必要がないようにすることができる。
【００１４】
また本発明によれば、スライダーの開閉体を二枚のブレードで形成しても、基体に挿入するだけで結合されて固定することができる。
【００１５】
また本発明によれば、スライダーの基体と二枚のブレードとの結合部分で、二枚のブレード側の下結合部に凹部を設ける。二枚のブレードが重なる部分のうち、凹部の下方の部分を、基体側に設ける上結合部の凸部の先端の溝で挟むので、結合部分からブレードが幅方向に抜けないようにすることができる。
【図面の簡単な説明】
【００１６】
【図１】図１は、本発明の一実施例としての複合針を構成する基体１１とブレード１３との結合部分１５を示す部分的な左側面図および正面断面図である。
【図２】図２は、図１の基体１１およびブレード１３の左側面図、および針本体１６と複合針１７の部分的な左側面図である。
【図３】図３は、従来からの複合針でのスライダー４の結合部分５を示す左側面図、平面図および断面図である。
【発明を実施するための形態】
【００１７】
以下、図１では、本発明の一実施例としての複合針の結合部分１５の部分的な構成を示す。図２では、図１の結合部分１５を備える複合針１７の構成を示す。これらのうちで先に説明した部分については同一の参照符を付して、または図３で説明した部分と対応する部分について、１０位の数値のみが異なり、他は同一の参照符を付して、重複する説明を省略する場合がある。また、説明対象の図面には記載されていない部分について、先に説明してある参照符を付して言及する場合がある。
【実施例】
【００１８】
図１（ａ）は基体１１と開閉体であるブレード１３とが離れている状態を示す。基体１１の上結合部１１ｃは、先端に溝１１ｄが設けられ、下方に突出する凸部１１ｅを有する。上結合部１１ｃよりも後方には、アーム１１ｆが延びるように形成されている。凸部１１ｅの前後方向の幅は、広幅部分１１ｇで最大となる。ブレード１３は、上結合部１１ｃと結合する下結合部１３ｃを有する。下結合部１３ｃには、上方に開口する凹部１３ｄが設けられる。凹部１３ｄには、開口端の両側から下方に延びる側壁間の幅が開口端での幅よりも狭くなる狭幅部分１３ｅが設けられる。ブレード１３は、前端側が図３のブレード２，３と同様に異なるブレード１２と重ねて用いられる。切断面線Ａ−Ａから見た断面構成を、図１（ａ）の右側に示す。ブレード１２にも、下結合部１２ｃおよび凹部１２ｄがブレード１３と同様に設けられる。
【００１９】
図１（ｂ）は、基体１１とブレード１２，１３とを結合して結合部分１５を形成している状態を示す。結合部分１５で切断面線Ｂ−Ｂから見た断面構成を、右側に示す。凹部１２ｄ，１３ｄには、開口端の幅よりも側壁間の幅が狭い狭幅部分１２ｅ．１３ｅが設けられ、凸部１１ｅには、幅が狭幅部分１２ｅ，１３ｅよりも広い広幅部分１１ｇが設けられる。上下方向の挿入の途中で、凹部１２ｄ，１３ｄが弾性変形して広幅部分１１ｇは狭幅部分１２ｅ，１３ｅを通過可能となるので、上結合部１１ｃと下結合部１２ｃ，１３ｃとで開閉体と基体１１とを結合することができる。この結合で、上下方向へは、広幅部分１１ｇの通過が狭幅部分１２ｅ，１３ｅで阻止されるので、挿入のみで固定することができる。凹部１２ｄ，１３ｄの下方で、二枚のブレード１２，１３が重ねられている部分が凸部１１eの先端の溝１１ｄに挿入されて結合されているので、上下方向の挿入のみで、幅方向に抜けないようにすることができる。したがって、結合部分１５の形成後は、強固に固定するための後加工を行う必要はないようにすることができる。
【００２０】
図２は、本発明の実施例としての複合針１７と、主要な部品である基体１１、ブレード１３および針本体１６の構成を示す。図２（ａ）に示す基体１１は、図１で説明した上結合部１１ｃとともに、前方下部に長手溝１１ｈを有する。長手溝１１ｈは、幅方向の中間に、下方に開口する状態で形成される。基体１１の後方には、アーム１１ｆが延出され、図３（ａ）に示すバット１ｂと同様なバットも立設されるけれども、図示は省略する。
【００２１】
図２（ｂ）に示すブレード１３は、前部に、タング１３ａと湾曲部１３ｂとを有するとともに、傾斜部１３ｆも有する。タング１３ａおよび湾曲部１３ｂは、図３（ｃ）のタング３ａおよび湾曲部３ｂとそれぞれ同様である。傾斜部１３ｆは、クリア時にタング１３ａを沈めるために設けられる。クリア時には、針本体が前進し、タング１３ａが相対的に後退して、針本体のフックを開き、フックに係止される編目をタング１３ａに受ける。この際に、編目の移行の障害とならないように、タング１３ａを針本体のスライダー溝に沈める必要がある。図示を省略しているブレード１２についても同様である。
【００２２】
図２（ｃ）に示す針本体１６は、前端にフック１６ａを有し、フック１６ａに続く針幹に、スライダー溝１６ｂが形成されている。スライダー溝１６ｂの前方部分には、底部にカム部１６ｃが設けられている。カム部１６ｃは、ブレード１３のタング１３ａがフック１６ａの先端を閉鎖する際に、タング１３ａをスライダー溝１６ｂから浮上させる。クリア時には、タング１３ａがスライダー溝１６ｂ内で後退し、傾斜部１３ｆが針本体１６に設けられる押圧部１６ｄで押圧され、タング１３ａがスライダー溝１６ｂ内に沈む。
【００２３】
図２（ｄ）に示す複合針１７は、基体１１とブレード１３とが結合部分１５を形成して組合わされるスライダー１４と、針本体１６とを含む。複合針１７は、横編機の針床に並設される針溝に収容され、前部にフック１６ａを有して針溝に沿って前後方向に往復移動可能な編針として機能する。
【００２４】
なお、針本体１６のフック１６ａを開閉するタング１３ａを有するブレード１３と、同様なブレード１２との二枚のブレード１２，１３を、基体１１と組合せる開閉体としているけれども、開閉体は一枚の構成とすることもできる。枚数がいずれであっても、開閉体は、結合部分１５を形成後に、基体と開閉体とを取外し、損傷を受けたような場合に、交換することは可能となる。
【００２５】
また、基体１１側の上結合部１１ｃに凸部１１ｅを形成し、ブレード１２，１３側の下結合部１２ｃ，１３ｃに凹部１２ｄ，１３ｄを形成しているけれども、凸部をブレード１２，１３側に、凹部を基体１１側に形成することもできる。二枚のブレード１２，１３を用いる場合は、凹部を形成する基体１１側に溝を設けてブレード１２，１３側の凸部の先端を挿入するようにすればよい。基体側と開閉体側とで厚みに差がない場合は、一方を部分的に薄くして、他方に設ける溝に挿入するようにすればよい。
【符号の説明】
【００２６】
１１  基体
１１ｃ  上結合部
１１ｄ  溝
１１ｅ  凸部
１１ｇ  広幅部分
１２，１３  ブレード
１２ｃ，１３ｃ  下結合部
１２ｄ，１３ｄ  凹部
１２ｅ，１３ｅ  狭幅部分
１４  スライダー
１５  結合部分
１６  針本体
１７  複合針
【図１】
0005766430.tif 000002
【図２】
0005766430.tif 000003
【図３】
0005766430.tif 000004